(57)【要約】【課題】  棚板の円弧状部の見付け面に、下部が棚板の手前側に突き出す状態で化粧材を取付けでき、尚且つ化粧材を簡単に安価に製作できる化粧材付き棚板の提供。【解決手段】  保持レール１と、化粧材２とを備え、保持レールは、上係合部５と下係合部６を有し、上面視円弧状部３を有する棚板８の円弧状部の見付け面４に設けてあり、下係合部６は上係合部５よりも手前側に突き出して設けてあり、化粧材は、帯状で且つ下辺１６に任意の間隔で上下方向の切れ目７を複数有しており、上下端部を保持レールの上係合部及び下係合部に各々係合している。【選択図】      図１
2007152005.tif 000002
【特許請求の範囲】
【請求項１】
保持レールと、化粧材とを備え、保持レールは、上係合部と下係合部を有し、上面視円弧状部を有する棚板の円弧状部の見付け面に設けてあり、下係合部は上係合部よりも手前側に突き出して設けてあり、化粧材は、帯状で且つ下辺に任意の間隔で上下方向の切れ目を複数有しており、上下端部を保持レールの上係合部及び下係合部に各々係合していることを特徴とする化粧材付き棚板。
【発明の詳細な説明】
【技術分野】
【０００１】
本発明は、主としてスーパーマーケット等の商品陳列棚に用いられる化粧材付き棚板に関するものである。
【背景技術】
【０００２】
商品陳列棚の棚板の見付け面には、商品の名称や価格を表示したカード等を取付けるための保持レールが設けてある。一般に保持レールは、特許文献１に記載されているように、カードの下端部が係合する下係合部をカードの上端部が係合する上係合部よりも手前側に突き出して形成し、カードが斜め上向きに取付けられるようにして、カードが買い物客に見やすいようにしている。棚板や保持レールは、白っぽい色で塗装してあることが多いが、高級食材を扱うスーパーマーケット等では、陳列する商品の高級感を演出するために、帯状のシートの表面に種々の色や模様を表示した化粧材を保持レールに取付けることがある。
【０００３】
また、ワインやシャンプーのボトルのように、容器が円筒形の商品を見栄え良く陳列するために、前部を上面視円弧状に形成した棚板が用いられることがある。棚板の上面視円弧状の見付け面に、上記のように下係合部が手前側に突き出した保持レールを取付けたとすると、保持レールの表面は三次元的に湾曲するので、化粧材はまっすぐな帯状のものを取付けることができず、保持レールの形状に合わせて化粧材を扇形に形成しなければならず、化粧材の製作費が嵩み、梱包もしづらくなる。そうして保持レールの形状に合わせて化粧材を個々に製作したとしても、保持レールの形状に誤差があると化粧材にシワが発生したりする。そのため従来は、棚板の円弧状部の見付け面には、特許文献２に記載されているように、上下対称形の保持レールを取付けて化粧材を直立して取付けており、化粧材やカードが目立たなくなっていた。また、上面視円弧状部を有する棚板と通常の長方形の棚板とを隣接して設置した場合に、互いの棚板の見付けが揃わず、体裁が悪かった。
【特許文献１】実開平６−８６６２２号公報（第７図）
【特許文献２】特開２００２−２０９６８５号公報（第２図、第３図）
【発明の開示】
【発明が解決しようとする課題】
【０００４】
本発明は以上に述べた実情に鑑みてなされたものであって、棚板の円弧状部の見付け面に、下部が棚板の手前側に突き出す状態で化粧材を取付けでき、尚且つ化粧材を簡単に安価に製作できる化粧材付き棚板の提供を目的とする。
【課題を解決するための手段】
【０００５】
上記の課題を達成するために本発明の化粧材付き棚板は、保持レールと、化粧材とを備え、保持レールは、上係合部と下係合部を有し、上面視円弧状部を有する棚板の円弧状部の見付け面に設けてあり、下係合部は上係合部よりも手前側に突き出して設けてあり、化粧材は、帯状で且つ下辺に任意の間隔で上下方向の切れ目を複数有しており、上下端部を保持レールの上係合部及び下係合部に各々係合していることを特徴とする。
【発明の効果】
【０００６】
本発明の化粧材付き棚板は、棚板の円弧状部の見付け面に、下係合部が上係合部よりも手前側に突き出した保持レールを設けてあり、化粧材は帯状で且つ下辺に任意の間隔で上下方向の切れ目を複数有していることで、下部を手前側に突き出すように曲げつつ上面視円弧状に湾曲させることができるので、化粧材を前記の上下非対称形の保持レールの上係合部と下係合部に上下端部を各々係合して取付けでき、化粧材が買い物客によく見えて化粧材による高級感を演出する等の効果が効果的に発揮される。化粧材は、まっすぐな帯状に形成して下辺に上下方向の切れ目を複数入れるだけで製作できるので、製作が簡単で、安価に提供できる。また化粧材は、保持レールの形状に誤差があったとしても、保持レールに沿って自由に湾曲してその誤差を吸収できる。化粧材は保持レールに容易に着脱でき、時節柄や陳列する商品等に合わせて化粧材を交換できる。
【発明を実施するための最良の形態】
【０００７】
以下、本発明の実施の形態を図面に基づいて説明する。図５〜図７は、スーパーマーケット等に設置される商品陳列棚を示している。この商品陳列棚は、前面と後面に長方形の棚板９ａ，９ｂを４段ずつ備えており、側面には、前後の長方形棚板９ａ，９ｂと周囲が連続するように４段の半円形棚板８を備えている。上から１〜３段目までの各棚板９ａ，９ｂ，８は、床台１０から立設した柱１１ａ，１１ｂの側面に高さ調整可能に取付けた棚受けブラケット２１により支持してあり、４段目の棚板９ａ，９ｂ，８は床台１０上に支持してある。柱１１ａと柱１１ｂの間には、幕板１２が取付けてある。
【０００８】
半円形棚板８は、図３に示すように、上面視半円形の棚板本体１３と、棚板本体１３の円弧状部３の見付け面４に取付ける保持レール１と、保持レール１に取付ける化粧材２とを有している。
保持レール１は、一定の断面形状を有する長尺部材を半円弧状に湾曲させたものであり、図１に示すように、縦断面において上部１４が棚板本体１３の見付け面４と隙間をあけて直立し、その先端部を下向きに折り曲げて上係合部５を形成してある。保持レール１の下部１５は、棚板の外周側の斜め下方に向けて突出し、その先端部を上向きに折り曲げて下係合部６を形成してある。保持レール１は、棚板本体１３の見付け面４に溶接やビス止め等により取付けている。
【０００９】
化粧材２は、棚板上に陳列する商品の高級感を演出したり、商品や店舗の宣伝をする情報を表示する等して、買物客の購買意欲を促進させる目的で保持レール１に取付けるものであり、表面を様々な色に着色したり、表面に木目模様や幾何学模様等の模様や絵を印刷したり、商品の宣伝文やキャンペーンの紹介文等が表示される。化粧材２の形状は、図２に示すように、一定の高さｈのまっすぐな帯状で、長さは保持レール１の長さとほぼ同じである。化粧材２の下辺１６には、長手方向に一定の間隔をおいて上下方向の切れ目７を多数設けてある。化粧材２の高さｈは、保持レール１の上下の係合部５，６間の直線距離Ｘよりも大きくしてあり、そのため化粧材２は、図１に示すように、上半分が直立し、下半分が外周側の斜め下方に向けて湾曲し、上下端部が保持レール１の上係合部５と下係合部６に各々係合して保持される。切れ目７の長さｈ１は、化粧材２を保持レール１に取付けたときに、化粧材２が外周側に向けて曲がる根元付近まで達する長さで設けてあり、このように切れ目７を多数設けることにより、図４に示すように、化粧材２は上下方向の中間部で外周側に曲がり且つ保持レール１長手方向に沿って円弧状に湾曲する。切れ目７の間隔Ｓは、保持レール１の曲率に応じて加減し、間隔Ｓを狭くすればより小さい曲率で湾曲させることができる。化粧材２は、０．３ｍｍ程度の厚みの、張りのある塩化ビニル樹脂のシートで形成してある。化粧材２を保持レール１に取付ける際には、棚板８の外周側から保持レール１の上下の係合部５，６間に押し込むようにして取付けてもよいし、保持レール１の小口より化粧材２を端部から差し込んで取付けることもできる。
【００１０】
長方形の棚板９ａ，９ｂの見付面にも、半円形棚板８と同様に保持レール１７と化粧材１８が取付けてある。保持レール１７の断面形状は、図１に示す半円形棚板８のものと同一であり、化粧材１８は、上下端部を保持レール１７の上係合部５と下係合部６に各々係合して斜め上向きに取り付けてある。なお化粧材１８は、下辺に切れ目を設ける必要が無い。
【００１１】
半円形棚板８は、図５に示すように、ワインやシャンプーのボトルのような円筒状の容器に入った商品１９を陳列するのに適しており、半円形棚板８の周囲から見ると、図６と図７に示すように、棚板外周部に並べた商品１９の容器がつながって大きな円筒を成すような感じで連続し、効果的な陳列フェイスが形作られる。半円形棚板８の見付け面４には、上係合部５より下係合部６が棚板の外周側に突出した保持レール１が取り付けてあり、保持レール１に下部が外周側に広がる形で化粧材２が取付けてあるので、化粧材２が買物客によく見えて、化粧材２により効果的に商品の高級感を演出したりできる。化粧材２は、まっすぐな帯状に形成して下辺１６に複数の切れ目７を入れたものにしたので、扇形に形成する場合と比べて製作が容易で、材料費や輸送費を削減できるし、保持レール１の形状に誤差があってもその誤差を吸収して湾曲するため、取付けたときに歪んだりシワが発生したりしない。化粧材２の切れ目７は、下端にいくほど広がる形になるが、保持レール１の下係合部６に隠れるためそれほど目立たない。保持レール１には、化粧材２の上に重ねて、商品名や商品の値段を表示したカード２０を取り付けることができ、カード２０は斜め上向きに取付けられるので、カード２０が買い物客に見やすくできる。また、半円形棚板８の見付け面と長方形棚板９ａ，９ｂの見付け面とが連続し、両棚板の見付け面に同じように保持レール１，１７と化粧材２，１８が取付けてあるので、外観が良好である。
【００１２】
本発明は以上に述べた実施形態に限定されない。棚板の形状は、半円形に限らず、前部に円弧状部と直線部とを連続して有するものや、図８に示すように、凹凸状に異なった曲率で湾曲する円弧状部３ａ，３ｂを有するものとすることもできる。化粧材は、保持レールの上係合部と下係合部に上下端部を各々係止して取付けできる適度な剛性、弾力性を有し、湾曲して切れ目が押し広がることに追随できるものであればよく、材質は塩化ビニル樹脂以外の種々の合成樹脂、あるいは紙であってもよい。
【図面の簡単な説明】
【００１３】
【図１】図５のＡ−Ａ断面図である。
【図２】保持レールに取付ける前の状態の化粧材の形状を示す正面図である。
【図３】半円形棚板の分解斜視図である。
【図４】図３のＡ部拡大図である。
【図５】商品陳列棚の平面図である。
【図６】商品陳列棚の正面図である。
【図７】商品陳列棚の側面図である。
【図８】本発明の化粧材付き棚板の他の実施形態を示す平面図である。
【符号の説明】
【００１４】
１  保持レール
２  化粧材
３  円弧状部
４  見付け面
５  上係合部
６  下係合部
７  切れ目
８  半円形棚板（化粧材付き棚板）
１６  化粧材の下辺
【図１】
2007152005.tif 000003
【図２】
2007152005.tif 000004
【図３】
2007152005.tif 000005
【図４】
2007152005.tif 000006
【図５】
2007152005.tif 000007
【図６】
2007152005.tif 000008
【図７】
2007152005.tif 000009
【図８】
2007152005.tif 000010